(57)【要約】  【課題】パスワードの安全性が低いという従来のバーチャルリアリティデバイスのロック解除方式における問題を解決可能なロック解除方法及びそれを実行するバーチャルリアリティデバイスを提供する。  【解決手段】本発明のロック解除方法は、直近の操作に関連するＭ個のパスワードアイコンを含むＡ個の選択対象アイコンを表示するステップと、上記Ａ個の選択対象アイコンの中からロック解除アイコンを選択する操作に対応して、選択されたロック解除アイコンを取得するステップと、上記選択されたロック解除アイコンと直近の操作に関連する上記Ｍ個のパスワードアイコンに基づき、ロック解除操作を実行するステップと、を含む。本願発明に係るロック解除方法及びデバイスは、直近の操作に関連するパスワードアイコンを設定することにより、パスワードをリアルタイムで更新できる。このため、パスワードが解読されにくく、且つパスワードを繰り返し手動で設定する必要がない。パスワードをアイテムの形態とすることにより、ユーザは、デバイスの利用に関する記憶から直接パスワードアイコンを操作するのみでロック解除でき、より便利で安全性に優れるロック解除方式が実現される。  【選択図】図１
2019533843.tif 000002
【特許請求の範囲】
【請求項１】
バーチャルリアリティデバイスのロック解除方法であって、
直近の操作に関連するＭ個のパスワードアイコンを含むＡ個の選択対象アイコンを表示するステップと、
前記Ａ個の選択対象アイコンの中からロック解除アイコンを選択する操作に対応して、選択されたロック解除アイコンを取得するステップと、
前記選択されたロック解除アイコンと直近の操作に関連する前記Ｍ個のパスワードアイコンに基づき、ロック解除操作を実行するステップと、を含むことを特徴とするロック解除方法。
【請求項２】
前記選択されたロック解除アイコンと直近の操作に関連する前記Ｍ個のパスワードアイコンに基づき、ロック解除操作を実行するステップは、
前記選択されたロック解除アイコンに、直近の操作に関連する前記Ｍ個のパスワードアイコンのうち少なくとも１つの所定数の固定アイコンが含まれているか否かを判断するステップと、
前記判断の結果がイエスである（含まれている）場合、ロック解除操作を実行するステップと、を含むことを特徴とする請求項１に記載のロック解除方法。
【請求項３】
前記選択されたロック解除アイコンに、直近の操作に関連する前記Ｍ個のパスワードアイコンのうち少なくとも１つの所定数の固定アイコンが含まれているか否かを判断するステップは、
直近の操作に関連する前記Ｍ個のパスワードアイコンの中から最後の操作に関連するパスワードアイコンを取得するステップと、
前記選択されたロック解除アイコンに、最後の操作に関連する前記パスワードアイコン及び所定数の固定アイコンが含まれているか否かを判断するステップと、を含むことを特徴とする請求項２に記載のロック解除方法。
【請求項４】
ロック解除操作を実行する前に、
前記ロック解除アイコンが選択される順番が、前記直近の操作の順番と一致するか否かを判断し、判断結果がイエスである（一致する）場合、ロック解除操作を実行するステップを含むことを特徴とする請求項２に記載のロック解除方法。
【請求項５】
前記Ａ個の選択対象アイコンを表示する前に、
パスワードアイコンと固定アイコンとの組み合わせのロック解除方式を含む少なくとも１つのロック解除方式を表示するステップと、
前記少なくとも１つのロック解除方式の中からロック解除方式を選択する操作に対応して、選択された第１のロック解除方式を取得するステップと、
前記第１のロック解除方式が前記パスワードアイコンと固定アイコンとの組み合わせのロック解除方式である場合、直近の操作に関連する前記Ｍ個のパスワードアイコン、所定数の固定アイコン及びその他のアイコンを生成するステップと、
直近の操作に関連する前記Ｍ個のパスワードアイコンと、所定数の固定アイコンと、その他のアイコンとを無作為に配列することにより、前記Ａ個の選択対象アイコンを生成するステップと、を含むことを特徴とする請求項２、請求項３または請求項４に記載のロック解除方法。
【請求項６】
前記選択されたロック解除アイコンと直近の操作に関連する前記Ｍ個のパスワードアイコンに基づき、ロック解除操作を実行するステップは、
前記選択されたロック解除アイコンが、直近の操作に関連する前記Ｍ個のパスワードアイコンと同一であるか否かを判断するステップと、
判断結果がイエス（同一）である場合、ロック解除操作を実行するステップと、を含むことを特徴とする請求項１に記載のロック解除方法。
【請求項７】
前記Ａ個の選択対象アイコンを表示する前に、
パスワードアイコンのロック解除方式を含む少なくとも１つのロック解除方式を表示するステップと、
前記少なくとも１つのロック解除方式の中からロック解除方式を選択する操作に対応して、選択された第２のロック解除方式を取得するステップと、
前記第２のロック解除方式が前記パスワードアイコンのロック解除方式である場合、直近の操作に関連する前記Ｍ個のパスワードアイコン及びその他のアイコンを生成するステップと、
直近の操作に関連する前記Ｍ個のパスワードアイコンと、その他のアイコンとを無作為に配列することにより、前記Ａ個の選択対象アイコンを生成するステップと、を含むことを特徴とする請求項６に記載のロック解除方法。
【請求項８】
前記Ａ個の選択対象アイコンの中からロック解除アイコンを選択する操作に対応して、選択されたロック解除アイコンを取得するステップは、
前記Ａ個の選択対象アイコンのうちのいずれかの選択対象アイコンに、カーソルが滞留する時間をリスニングするステップと、
前記滞留する時間が予め設定された時間の閾値より大きい場合、前記選択対象アイコンを前記選択されたロック解除アイコンとして確定するステップと、を含むことを特徴とする請求項１、請求項２、請求項３、請求項４、請求項６及び請求項７のいずれか一項に記載のロック解除方法。
【請求項９】
直近の操作に関連するＭ個のパスワードアイコンを生成する方法は、
システムのタスクリストを取得するステップと、
タスクリストにおけるタスクの実行時間に基づき、対応する操作の順番を確定することにより、Ｍ個の直近の操作を確定するステップと、
前記Ｍ個の直近の操作に基づき、直近の操作に関連するＭ個のパスワードアイコンを生成するステップと、を含むことを特徴とする請求項１に記載のロック解除方法。
【請求項１０】
記憶装置と、処理装置と、前記記憶装置に記憶され、且つ前記処理装置において動作可能なコンピュータプログラムとを含むバーチャルリアリティデバイスであって、
前記処理装置が前記コンピュータプログラムを実行するとき、請求項１ないし請求項９のいずれか一項に記載の方法を実現することを特徴とするバーチャルリアリティデバイス。
【発明の詳細な説明】
【技術分野】
【０００１】
本願発明は、バーチャルリアリティ技術に関し、さらに詳しくは、バーチャルリアリティデバイスのロック解除方法及びそれを実行するバーチャルリアリティデバイスに関する。
【背景技術】
【０００２】
バーチャルリアリティ（ＶＲ）技術は、仮想の世界を構築し体験できるコンピュータシミュレーションシステムである。、バーチャルリアリティ（ＶＲ）技術では、マルチソース化された対話方式で三次元の動的な手段を用いて、コンピュータを介して実在の環境と動作に対するシステムシミュレーションという仮想環境を生成することにより、ユーザに没入型の体験をもたらす。
【０００３】
近年、バーチャルリアリティ技術の急速な発展に伴い、その応用範囲が拡大しつつあり、バーチャルリアリティデバイスに関連する画面ロックアプリケーションも発展してきている。
【発明の概要】
【発明が解決しようとする課題】
【０００４】
従来、バーチャルリアリティデバイスのロック解除方式としては、数字パスワードによるロック解除が主流となっていた、しかし、この解除方式には、パスワードが単純で、解読されやすく、安全性が低いなどの欠点がある。
【０００５】
本願発明は、上記の実情に鑑みてなされるもので、従来技術におけるパスワードの安全性が低いという問題を解決するための、バーチャルリアリティデバイスのロック解除方法及びそれを実行するバーチャルリアリティデバイスを提供するものである。
【課題を解決するための手段】
【０００６】
本願発明では、上記課題を解決するために、以下のバーチャルリアリティデバイスのロック解除方法を提供する。上記方法は、
直近の操作に関連するＭ個（Ｍは任意の自然数）のパスワードアイコンを含むＡ個（ＡはＭ+１以上の任意の自然数）の選択対象アイコンを表示するステップと、
上記Ａ個の選択対象アイコンの中からロック解除アイコンを選択する操作に応答して、選択されたロック解除アイコンを取得するステップと、
上記選択されたロック解除アイコンと直近の操作に関連する上記Ｍ個のパスワードアイコンに基づき、ロック解除操作を実行するステップと、を含む。
【０００７】
上記選択されたロック解除アイコンと直近の操作に関連する上記Ｍ個のパスワードアイコンに基づき、ロック解除操作を実行するステップは、
上記選択されたロック解除アイコンに、直近の操作に関連する上記Ｍ個のパスワードアイコンのうち少なくとも１つの固定アイコンが含まれるか否かを判断するステップと、
上記判断結果がイエス（含まれる）である場合、ロック解除操作を実行するステップと、を含んでもよい。
【０００８】
上記選択されたロック解除アイコンに、直近の操作に関連する上記Ｍ個のパスワードアイコンのうち少なくとも１つの固定アイコンが含まれているか否かを判断するステップは、
直近の操作に関連する上記Ｍ個のパスワードアイコンの中から最後の操作に関連するパスワードアイコンを取得するステップと、
上記選択されたロック解除アイコンに、最後の操作に関連する上記パスワードアイコン及び少なくとも１つの固定アイコンが含まれているか否かを判断するステップと、を含んでもよい。
【０００９】
上記方法は、ロック解除操作を実行する前に、
上記ロック解除アイコンが選択された順番は、上記直近の操作の順番と一致するか否かを判断し、判断結果がイエスである（一致する）場合、ロック解除操作を実行するステップを含んでもよい。
【００１０】
上記方法は、上記Ａ個の選択対象アイコンを表示する前に、
パスワードアイコンと固定アイコンとの組み合わせのロック解除方式を含む少なくとも１つのロック解除方式を表示するステップと、
上記少なくとも１つのロック解除方式の中からロック解除方式を選択する操作に応答して、選択された第１のロック解除方式を取得するステップと、
上記第１のロック解除方式が上記パスワードアイコンと固定アイコンとの組み合わせのロック解除方式である場合、直近の操作に関連する上記Ｍ個のパスワードアイコン、所定数量の固定アイコン及びその他のアイコンを生成するステップと、
直近の操作に関連する上記Ｍ個のパスワードアイコンと、所定数量の固定アイコンと、その他のアイコンとを無作為に配列することにより、上記Ａ個の選択対象アイコンを生成するステップと、を含んでもよい。
【００１１】
上記選択されたロック解除アイコンと直近の操作に関連する上記Ｍ個のパスワードアイコンとに基づき、ロック解除操作を実行するステップは、
上記選択されたロック解除アイコンが、直近の操作に関連する上記Ｍ個のパスワードアイコンと同一であるか否かを判断するステップと、
判断結果がイエス（同一）である場合、ロック解除操作を実行するステップと、を含んでもよい。
【００１２】
上記方法は、上記Ａ個の選択対象アイコンを表示する前に、パスワードアイコンのロック解除方式を含む少なくとも１つのロック解除方式を表示するステップと、
上記少なくとも１つのロック解除方式の中からロック解除方式を選択する操作に応答して、選択された第２のロック解除方式を取得するステップと、
上記第２のロック解除方式が上記パスワードアイコンのロック解除方式である場合、直近の操作に関連する上記Ｍ個のパスワードアイコン及びその他のアイコンを生成するステップと、
直近の操作に関連する上記Ｍ個のパスワードアイコンと、その他のアイコンとを無作為に配列することにより、Ａ個の選択対象アイコンを生成するステップと、を含んでもよい。
【００１３】
上記Ａ個の選択対象アイコンの中からロック解除アイコンを選択する操作に応答して、上記選択されたロック解除アイコンを取得するステップは、
上記Ａ個の選択対象アイコンのうちいずれかの選択対象アイコンについて、カーソルが上記選択対象アイコンに滞留する時間をリスニングするステップと、
上記滞留する時間が予め設定された時間閾値より大きい場合、上記選択対象アイコンを上記選択されたロック解除アイコンとして確定するステップと、を含んでもよい。
【００１４】
直近の操作に関連するＭ個のパスワードアイコンを生成する方法は、
システムのタスクリストを取得するステップと、
タスクリストにおけるタスクの実行時間に基づき、対応する操作の順番を確定することにより、Ｍ個の直近の操作を確定するステップと、
上記Ｍ個の直近の操作に基づき、上記直近の操作に関連するＭ個のパスワードアイコンを生成するステップと、を含んでもよい。
【００１５】
本願発明はさらに、記憶装置と、処理装置と、上記記憶装置に記憶され、且つ上記処理装置において動作可能なコンピュータプログラムとを含むバーチャルリアリティデバイスを提供する。上記処理装置が上記コンピュータプログラムを実行するとき、上記方法を実現する。
【発明の効果】
【００１６】
本願発明に係るバーチャルリアリティデバイスのロック解除方法及びそれを実行するバーチャルリアリティデバイスでは、直近の操作に関連するパスワードアイコンを設定することにより、パスワードアイコンがバーチャルリアリティデバイスを利用すると同時にリアルタイムに更新され、パスワードが解読されにくくなる。そのため、本願発明のロック解除方法は、画面ロックアプリケーションにおいて、より安全性に優れる。
【図面の簡単な説明】
【００１７】
【図１】本願発明の一実施形態によるバーチャルリアリティデバイスのロック解除方法の例を示すフローチャートである。
【図２】本願発明の一実施形態によるステップ１２の例を示すフローチャートである。
【図３】本願発明の一実施形態によるステップ１２の他の例を示すフローチャートである。
【図４】本願発明の一実施形態によるバーチャルリアリティデバイス１００の内部構造を示す概略図である。
【発明を実施するための形態】
【００１８】
本願発明の目的、技術的解決手段及び利点をより明瞭にするために、以下に、図面を参照しながら、本願発明の技術的解決手段を明瞭かつ詳細に説明する。なお、以下に記載されているのは本願発明の実施例の全てではなく、その一部に過ぎない。これらの実施例を踏まえ、当業者が進歩性のある作業によらず得られる全ての構成は、いずれも本願発明の技術的範囲に包含されるものである。
【００１９】
従来のバーチャルリアリティデバイスの画面ロックアプリケーションにおいては、システムの操作により固定パスワードを設定し、ロックを解除するたびに正しい固定パスワードを入力してアンロックする数字パスワードのロック解除方式が主流となっている。発明者らは、本願発明を実現する過程で、上記方式では、数字パスワードが単純で、解読されやすいため、パスワードの安全性が低いということを見出した。
【００２０】
本願発明は、従来技術における課題を解消するためのバーチャルリアリティデバイスのロック解除方法及びそれを実行するバーチャルリアリティデバイスを提供する。本願発明の趣旨は、直近の操作に関連するパスワードアイコンを設定することにより、パスワードアイコンがバーチャルリアリティデバイスを利用すると同時にリアルタイムに更新されることを実現し、パスワードの解読を難しくし、安全性を高めることである。以下に、図面及び実施例を参照して、本願発明の実施形態について詳細に説明する。これらにより、本願発明の技術的手段により上記技術的課題を解決し、所望の技術効果を得られることを十分理解でき、実施することが可能となる。
【００２１】
図１は、本願発明の一実施形態によるバーチャルリアリティデバイスのロック解除方法の例を示すフローチャートである。図１に示すように、当該方法は、直近の操作に関連するＭ個（Ｍは任意の自然数）のパスワードアイコンを含むＡ個（ＡはＭ+１以上の自然数）の選択対象アイコンを表示するステップ１０と、Ａ個の選択対象アイコンの中からロック解除アイコンを選択する操作に応答して、選択されたロック解除アイコンを取得するステップ１１と、上記選択されたロック解除アイコンと直近の操作に関連する上記Ｍ個のパスワードアイコンに基づき、ロック解除操作を実行するステップ１２と、を含む。
【００２２】
本実施形態において、表示される上記Ａ個の選択対象アイコンは、例えば、写真、画像やアプリケーションアイコンのうち１種または複数種の組み合わせであってもよい。パスワードアイコンは、例えば、バーチャルリアリティデバイスにインストールされているアプリケーションのアイコン、バーチャルリアリティデバイスに記憶されている写真、またはバーチャルリアリティデバイスにより呼び出された画像もしくは過去にアクセスした画像であってもよい。
【００２３】
本実施形態では、上記直近の操作に関連するＭ個のパスワードアイコンのＭの値は一定（固定値）であってもよいが、毎回画面がオフになった後、またはロックが解除される前にユーザの記憶に応じて、任意に設定してもよい。例えば、画面がオフになる前に、なるべく多くの直近の操作を記憶してＭの値を大きく設定することにより、より高いレベルの安全性を得ることができる。
【００２４】
なお、ステップ１０における直近の操作に関連するＭ個のパスワードアイコンは、バーチャルリアリティデバイスを実行する操作の順番に基づいて確定してもよい。例えば、システムのタスクリストを取得して、その中のタスクの実行時間に基づいて、対応する操作の順番を決めて、Ｍ個の直近の操作を確定し、直近の操作に関連するＭ個のパスワードアイコンを生成してもよい。
【００２５】
なお、ステップ１１におけるロック解除アイコンの数は一定の値であってもよいが、毎回画面がオフになった後、またはロックが解除される前に、任意に設定してもよい。ステップ１１は、以下の実施形態により実現することもできる。
【００２６】
上記Ａ個の選択対象アイコンのうちのいずれかの選択対象アイコンについて、カーソルの上記選択対象アイコンに滞留する時間をリスニングし、滞留時間が予め設定された時間の閾値より大きい場合、その選択対象アイコンを選択されたロック解除アイコンとして確定する。
【００２７】
本実施形態では、上記カーソルは、頭や目の焦点やハンドルのコントロールポイントであってもよいが、これらに限定されるものではない。
【００２８】
選択すべきロック解除アイコンの数を忘れた場合に備えて、本実施形態では、所定数のロック解除アイコンを取得しているか否かを提示するステップを実行することもできる。例えば、所定数のロック解除アイコンを取得するまでは、「ロック解除アイコンを選択し続けてください」と提示する、またはバーチャルリアリティデバイスのシーンにおいてロック解除アイコン表示領域を設定し、このロック解除アイコン表示領域を所定数の表示箇所に区画し、上記所定数の表示箇所が埋まるか否かを表示することにより、ロック解除アイコンの選択を完了するか否かを提示する、または所定数のロック解除アイコンを取得するまでは、提示せず、所定数のロック解除アイコンを取得したとき、選択操作を停止するように提示することもできる。
【００２９】
なお、ステップ１２では、選択されたロック解除アイコンと直近の操作に関連するＭ個のパスワードアイコンに基づき、認証を通過させるか否かを判定する。通過させる場合には、ロック解除操作を実行し、認証を通過させない場合には、ステップ１０のＡ個の選択対象アイコンを表示するシーンに戻りロック解除アイコンを選択し直すこともできる。
【００３０】
本実施形態では、ユーザの直近の操作に関連するパスワードアイコンを設定することにより、パスワードアイコンがバーチャルリアリティデバイスを利用すると同時にリアルタイムに更新される。そのため、パスワードが解読されにくくなり、且つユーザがパスワードを繰り返し手動で設定する必要がない。したがって、本願発明のバーチャルリアリティデバイスのロック解除方法は、画面ロックアプリケーションにおいて、より安全性に優れる。
【００３１】
また、本実施形態では、パスワードをアイテムの形態にするため、ユーザは不規則な数字パスワードを覚える必要はなく、デバイスの利用に関する自分の記憶から直接パスワードアイコンを操作するのみでロック解除を実現できる。このため、ユーザは、大量の記憶に苦労することなく、これまでにない新規なロック解除方式を体験できる。
【００３２】
選択されたロック解除アイコンと直近の操作に関連する上記Ｍ個のパスワードアイコンに基づき、ロック解除操作を実行するステップ、すなわちステップ１２は様々な形態で実現できる。以下にいくつかの例を挙げるが、これらに限定されるものではない。
【００３３】
図２は、本願発明の一実施形態によるステップ１２の例を示すフローチャートである。選択されたロック解除アイコンに、直近の操作に関連する上記Ｍ個のパスワードアイコンのうち少なくとも１つの所定数の固定アイコンが含まれているか否かを判断するステップ１１２１と、判断結果がイエスである（含まれている）場合、ロック解除操作を実行するステップ１１２２と、を含む。
【００３４】
図２に示す実施形態では、直近の操作に関連するＭ個のパスワードアイコンのうち１つまたは複数のパスワードアイコン及び所定数の固定アイコンをロック解除の認証条件とし、ロック解除アイコンに含まれるべきパスワードアイコンの数は、関連する設定に基づいて確定してもよい。
【００３５】
例えば、Ｍの値が５で、且つ固定アイコンの数が２であるとすると、ステップ１１にて取得されるロック解除アイコンは、７つのアイコンを含む。このうち、５つが直近の操作に関連するパスワードアイコンで、２つが予め設定された固定アイコンであれば、認証を通過し、ロック解除操作を実行できる。
【００３６】
また、例えば、Ｍの値が５で、且つ固定アイコンの数量が２であるとすると、ステップ１１にて取得されるロック解除アイコンは、５つのアイコンを含む。このうち、３つが直近の操作に関連するパスワードアイコンで、２つが予め設定された固定アイコンであれば、認証を通過し、ロック解除操作を実行できる。
【００３７】
本実施形態では、上記固定アイコンを非表示のパスワードとしてステップ１２の認証に用いる。この形態では、特定のユーザ以外の他のユーザがバーチャルリアリティデバイスを利用して、パスワードアイコンの認証を行うとき、覚えた内容によりバーチャルリアリティデバイスのロックを支障なく解除するリスクを効果的に回避できる。上記固定アイコンは、予め設定されたいくつかの固定アイコン、例えば、天気アプリケーションのアイコン、時報アプリケーションのアイコンなど固定されたいくつかのアプリケーションのアイコンか、またはユーザが気に入っている複数の画像であってもよい。もちろん、直近の操作に関連する上記Ｍ個のパスワードアイコンのうち１つまたは複数が上記固定アイコンと重畳する場合、重畳するアイコンを２つ表示することにより、パスワードアイコンに対する固定アイコンの干渉を回避できる。
【００３８】
選択されたロック解除アイコンに、直近の操作に関連する上記Ｍ個のパスワードアイコンのうち少なくとも１つの所定数の固定アイコンが含まれているか否かを判断するステップは、直近の操作に関連する上記Ｍ個のパスワードアイコンの中から最後の操作に関連するパスワードアイコンを取得するステップと、上記選択されたロック解除アイコンに、上記最後の操作に関連するパスワードアイコン及び所定数の固定アイコンが含まれるか否かを判断するステップと、判断結果がイエスである（含まれる）場合、ロック解除操作を実行し、ノーである場合、ステップ１０におけるＡ個の選択対象アイコンを表示するシーンに戻りロック解除アイコンを選択し直すステップと、を含んでもよい。
【００３９】
本実施形態では、直近の操作の順番に基づき、最後の操作に関連するパスワードアイコンを確定し、選択されたロック解除アイコンに、上記最後の操作に関連するパスワードアイコン及び所定数の固定アイコンが含まれる場合、認証を通過して、ロック解除操作を実行する。
【００４０】
上記実施形態では、さらに、Ｍの値が５で、固定アイコンの数が２であり、且つ最後に利用したアプリケーションが動画配信アプリケーションである場合、ステップ１１で取得されるロック解除アイコンは３つのアイコンを含む。このうち１つが動画配信アプリケーションのアイコンで、２つが予め設定された固定アイコンであり、固定アイコンの所定数が２つで、且つ最後に利用したアプリケーションが動画配信アプリケーションである場合、認証を通過し、ロック解除操作を実行する。
【００４１】
最後の操作に関連するパスワードアイコン及び所定数の固定アイコンにより認証し、ロック解除する方式は、直近の複数の操作を覚えられないためロックを解除できないという状況を効果的に回避できる。
【００４２】
図２に示すロック解除方式をベースに、本方法では、ステップ１０の前にさらに、パスワードアイコンと固定アイコンとを組み合わせたロック解除方式を含む少なくとも１つのロック解除方式を表示するステップ１と、上記少なくとも１つのロック解除方式の中からロック解除方式を選択する操作に対応して、選択された第１のロック解除方式を取得するステップ２と、上記第１のロック解除方式が上記パスワードアイコンと固定アイコンとを組み合わせたロック解除方式である場合、直近の操作に関連する上記Ｍ個のパスワードアイコン、所定数の固定アイコン及びその他のアイコンを生成するステップ３と、直近の操作に関連する上記Ｍ個のパスワードアイコンと、所定数の固定アイコンと、その他のアイコンとを無作為に配列することにより、上記Ａ個の選択対象アイコンを生成するステップ４と、を含んでもよい。
【００４３】
なお、上記実施形態におけるＡ個の選択対象アイコンの生成方法は、図２に示すロック解除方式に関連する上記各実施形態を適用できるため、ここでは詳細は説明しない。
【００４４】
本実施形態におけるＡ個の選択対象アイコンの生成方法では、画面がオフになった後、またはロック解除を実行する前に、ユーザの選択する第１のロック解除方式がパスワードアイコンと固定アイコンとの組み合わせのロック解除方式である場合、直近の操作の順番に基づき、Ｍ個のパスワードアイコン及び所定数の固定アイコンを生成し、その他のアイコンを無作為に生成することにより、上記Ａ個の選択対象アイコンを生成してもよい。
【００４５】
図３に示すように、ステップ１２の他の例では、上記選択されたロック解除アイコンは、直近の操作に関連する上記Ｍ個のパスワードアイコンと同一であるか否かを判断するステップ２１２１と、判断結果がイエス（同一）である場合、ロック解除操作を実行するステップ２１２２とを含む。
【００４６】
本実施形態では、直近の操作に関連するＭ個のパスワードアイコンをロック解除の認証条件として、ステップ１１にて取得される上記選択対象のロック解除アイコンが直近の操作に関連するＭ個のパスワードアイコンと一対一で対応する場合には、認証を通過し、ロック解除操作を実行する。ステップ１１にて取得される上記選択対象のロック解除アイコンが直近の操作に関連するＭ個のパスワードアイコンと一対一で対応しない場合には、認証を通過させず、ステップ１０におけるＡ個の選択対象アイコンが表示されるシーンに戻る構成としてもよい。
【００４７】
本実施形態では、ロック解除アイコンがパスワードアイコンと完全に同一である場合にのみ、ロック解除を実現できるため、パスワードの安全性が向上する。
【００４８】
本方法は、図３に示すロック解除方式をベースに、上記ステップ１０の前にさらに、パスワードアイコンのロック解除方式を含む少なくとも１つのロック解除方式を表示するステップ１と、上記少なくとも１つのロック解除方式の中からロック解除方式を選択する操作に対応して、第２のロック解除方式を取得するステップ２と、上記第２のロック解除方式が上記パスワードアイコンのロック解除方式である場合、直近の操作に関連する上記Ｍ個のパスワードアイコン及びその他のアイコンを生成するステップ３と、直近の操作に関連する上記Ｍ個のパスワードアイコンと、その他のアイコンとを無作為に配列することにより、上記Ａ個の選択対象アイコンを生成するステップ４と、を含んでもよい。
【００４９】
本実施形態におけるＡ個の選択対象アイコンの生成方法では、画面がオフになった後、またはロック解除を実行する前に、選択された第２のロック解除方式がパスワードアイコンのロック解除方式である場合、直近の操作の順番に基づき、Ｍ個のパスワードアイコンを生成し、その他のアイコンを無作為に生成することにより、上記Ａ個の選択対象アイコンを生成してもよい。
【００５０】
本方法では、ロック解除操作を実行する前に、上記ロック解除アイコンが選択された順番が、上記直近の操作の順番と一致するか否かを判断し、判断結果がイエスである（一致する）場合、ロック解除操作を実行するステップ、を含んでもよい。
【００５１】
なお、ユーザがロック解除アイコンを選択する順番は、ステップ１１で記録し、ユーザの直近の操作の順番は、システムのタスクリストから取得してもよい。上記各実施例では、ロック解除操作を実行する前にさらに、ユーザのロック解除アイコンを選択する順番が、ユーザの直近の操作の順番と一致するか否かを判断することにより、パスワードの複雑さ及び安全性をより一層高めることできる。もちろん、本願発明の実施形態に記載されている判断ステップは、上記ステップ１２に関連する各実施形態の認証ステップより前に実行してもよく、これらについては限定されるものではない。
【００５２】
次に、パスワードアイコンと固定アイコンとの組み合わせのロック解除方式を例として、技術的解決手段について詳しく説明する。
【００５３】
ユーザがバーチャルリアリティデバイスをウェークアップするとき、上記バーチャルリアリティデバイスにより構築されるシーンにおいて、パスワードアイコンのロック解除方式、及びパスワードアイコンと固定アイコンとの組み合わせのロック解除方式を表示する。ユーザがパスワードアイコンと固定アイコンとの組み合わせのロック解除方式を選択する場合、ロック解除アイコンに含まれるパスワードアイコンの数を設定するようユーザに提示し、ユーザの設定するロック解除アイコンに含まれるパスワードアイコンの数が２であることを検出する。そして、ユーザの任意の設定に基づき、ユーザが直近に操作した射撃ゲームアプリケーション、住宅改装アプリケーション及びバイクレースゲームのロードラッシュに対応する３つのアプリケーションアイコンを３つのパスワードアイコンとし、天気アプリケーション及び時報アプリケーションに対応するアプリケーションアイコンを２つの固定アイコンとし、無作為に４つのその他のアイコンを生成する。この結果、９つの選択対象アイコンが生成される。９つの選択対象アイコンをバーチャルリアリティデバイスのシーンにおいて表示してユーザに選択させる。
【００５４】
ユーザが眼球の回転を通じてカーソルを制御して、５つのアイコンを選択したことをリスニングしたら、ユーザに選択完了を提示する。ユーザの選択した５つのロック解除アイコンはそれぞれ射撃ゲームアプリケーションのアイコン、住宅改装アプリケーションのアイコン、天気アプリケーションのアイコン、時報アプリケーションのアイコン及びカレンダーアプリケーションのアイコンである。ユーザの設定するロック解除アイコンに含まれるパスワードアイコンの数量は２であるため、ユーザの選択するロック解除アイコンは認証条件を満足し、認証を通過し、ロック解除操作を実行する。
【００５５】
別のロック解除のプロセスでは、ユーザが選択する５つのロック解除アイコンはそれぞれ射撃ゲームアプリケーションのアイコン、ロードラッシュのアイコン、住宅改装アプリケーションのアイコン、時報アプリケーションのアイコン及びカレンダーアプリケーションのアイコンとなり、ユーザが２つの固定アイコンを正しく選択しなかったとき、認証を通過せず、９つの選択対象アイコンが表示されるシーンに戻る。
【００５６】
別のロック解除のプロセスでは、ユーザが３回のロック解除操作をした後もロック解除できないとき、ユーザのロック解除操作を禁止する。例えば、１０分後に、バーチャルリアリティデバイスのシーンにおいて９つの選択対象アイコンを表示し直して、ユーザにロック解除操作を実行させてもよい。
【００５７】
本発明ではさらに、記憶装置と、処理装置と、記憶装置に記憶され、且つ処理装置において動作可能なコンピュータプログラムとを含むバーチャルリアリティデバイスを提供する。上記処理装置は、上記コンピュータプログラムを実行するとき、上記方法を実現する。
【００５８】
本願発明の一実施形態によるバーチャルリアリティデバイスは、外付け型ヘッドマウントディスプレイデバイス、または一体的に構成されるヘッドマウントディスプレイデバイスであってもよい。なお、外付け型の場合には、外部処理システム（例えば、コンピュータ処理システム）と共に使用する必要がある。
【００５９】
図４は、本願発明の一実施形態によるバーチャルリアリティデバイス１００の内部構造を示す概略図である。
【００６０】
表示手段１０１は、ヘッドマウントディスプレイデバイス１００におけるユーザの顔に対向する側面に設けられる表示パネルを含んでもよい。上記表示パネルは、一体的に構成されるパネル、またはユーザの左眼及び右眼にそれぞれ対応する左パネルと右パネルから構成されてもよい。なお、上記表示パネルは、エレクトロルミネセンス（ＥＬ）素子、液晶ディスプレイや類似の構造を有するマイクロディスプレイ、または網膜に直接表示するディスプレイや類似のレーザー走査型ディスプレイであってもよい。
【００６１】
仮想画像光学手段１０２では、表示手段１０１に表示される画像を拡大撮影する。ユーザは、拡大された仮想画像にて表示される画像を観察することが可能である。表示手段１０１に出力される表示画像としては、コンテンツを再生するデバイス（ブルーレイディスクやＤＶＤプレイヤなど）、ストリーミングメディアサーバから提供される仮想シーンの画像、または外部カメラ１１０で実在のシーンを撮影した画像であってもよい。仮想画像光学手段１０２はレンズ手段、例えば球面レンズ、非球面レンズ、フレネルレンズなどを含んでもよい。
【００６２】
入力操作手段１０３は、入力操作を実行するための操作部品、例えば、キー、ボタン、スイッチ、または類似の機能を有するその他の部品を少なくとも１つ含み、操作部品によりユーザの指令を受信し、制御手段１０７へ指令を出力する。
【００６３】
状態情報取得手段１０４は、ヘッドマウントディスプレイデバイス１００を装着するユーザの状態情報を取得するためのものである。ユーザ本人の状態情報を検出するための様々なセンサを含んでもよく、通信手段１０５により外部デバイス（例えばスマートフォン、腕時計、及びユーザに装着されるその他の多機能端末）から状態情報を取得できる。状態情報取得手段１０４はユーザの頭部の位置情報及び／または姿勢情報を取得でき、ジャイロメータセンサ、加速度センサ、全地球測位システム（ＧＰＳ）センサ、地磁気センサ、ドップラー効果センサ、赤外線センサ、電波強度センサのうち１つまたは複数を含んでもよい。また、状態情報取得手段１０４は、ヘッドマウントディスプレイデバイス１００を装着するユーザの状態情報、例えば、ユーザの操作状態（ユーザがヘッドマウントディスプレイデバイス１００を装着しているか否か）、ユーザの動作状態（静止、走行、走りなどの移動状態、手や指先の姿勢、目の開閉状態、視線方向、瞳孔のサイズ）、精神的状態（例えば、表示される画像にユーザが見入っているか）、さらには生理的状態を取得する。
【００６４】
通信手段１０５は、外部装置との通信処理、変調・復調処理、及び通信信号の符号化・復号処理を実行する。また、制御手段１０７は、通信手段１０５を通じて外部装置にデータを伝送できる。通信方式としては、有線、または無線の方式であってもよく、例えば、モバイルハイデフニションリンク（ＭＨＬ）、ユニバーサルシリアルバス（ＵＳＢ）、ハイデフィニションマルチメディアインタフェース（ＨＤＭＩ）（登録商標）、ワイファイ（ＷＩ−ＦＩ）（登録商標）、ブルートゥース（登録商標）通信と低消費ブルートゥース（登録商標）通信、またはＩＥＥＥ１０２．１１ｓ規格のメッシュネットワークなどであってもよい。また、通信手段１０５は、広帯域符号分割多元接続（Ｗ−ＣＤＭＡ）、ロングタームエヴォリューション（ＬＴＥ）、または類似の規格にて動作するセルラ無線送受信機であってもよい。
【００６５】
ヘッドマウントディスプレイデバイス１００は記憶手段をさらに含んでもよい。記憶手段１０６は、ソリッドステートドライブ（ＳＳＤ）などを備える大容量の記憶デバイスとして配置される。記憶手段１０６は、アプリケーションプログラムまたは様々なデータを記憶できる。例えば、ユーザがヘッドマウントディスプレイデバイス１００を用いて視聴するコンテンツを記憶手段１０６に記憶させてもよい。
【００６６】
ヘッドマウントディスプレイデバイス１００は、制御手段１０７をさらに含んでもよい。制御手段１０７は、コンピュータ処理装置（ＣＰＵ）、または類似の機能を有するその他のデバイスを含んでもよい。制御手段１０７は、記憶手段１０６で記憶されるアプリケーションプログラムを実行するか、または、本出願のいくつかの実施例に開示される方法、機能や操作を実行する回路に用いることができる。
【００６７】
画像処理手段１０８は、例えば、制御手段１０７から出力される画像信号の画像品質を補正し、解像度を表示手段１０１のスクリーンに対応するように変換するなど、信号の処理を実行するためのものである。表示駆動手段１０９は、表示手段１０１の各行の画素を順に選択し、行ごとに表示手段１０１の各行の画素を順に走査することにより、信号処理を経た画像信号に基づく画素信号を提供する。
【００６８】
ヘッドマウントディスプレイデバイス１００は、外部カメラをさらに含んでもよい。外部カメラ１１０は、ヘッドマウントディスプレイデバイス１００の本体の前面に１つまたは複数設けられてもよく、３次元情報を取得でき、且つ距離センサとして用いてもよい。また、物体からの反射信号を検知する位置検出素子（ＰＳＤ）やその他のタイプの距離センサを外部カメラ１１０と共に利用してもよい。外部カメラ１１０と距離センサは、ヘッドマウントディスプレイデバイス１００を装着するユーザの身体位置、姿勢及び形状などの検出に用いることができる。また、状況によっては、ユーザは、外部カメラ１１０から直接実在のシーンを鑑賞したりプレビューしたりすることもできる。
【００６９】
ヘッドマウントディスプレイデバイス１００は、音声処理手段をさらに含んでもよい。音声処理手段１１１は、制御手段１０７から出力される音声信号の音声品質の補正や音声拡大、入力される音声信号の信号処理などを実行できる。そして、音声入力／出力手段１１２が音声処理後、音声を外部へ出力し、またはマイクから音声を入力することができる。
【００７０】
表示手段１０１は、直近の操作に関連するＭ個のパスワードアイコンを含むＡ個の選択対象アイコンを表示することができる。入力操作手段１０３は、上記Ａ個の選択対象アイコンの中からロック解除アイコンを選択する操作に対応して、選択されたロック解除アイコンを取得する。制御手段１０７は、上記選択されたロック解除アイコンと直近の操作に関連する上記Ｍ個のパスワードアイコンに基づき、ロック解除操作を実行することができる。
【００７１】
制御手段１０７は、具体的には、上記選択されたロック解除アイコンに、直近の操作に関連する上記Ｍ個のパスワードアイコンのうち少なくとも１つの所定数の固定アイコンが含まれるか否かを判断し、判断結果がイエスである（含まれる）場合、ロック解除操作を実行することができる。
【００７２】
制御手段１０７は、具体的には、直近の操作に関連する上記Ｍ個のパスワードアイコンの中から最後の操作に関連するパスワードアイコンを取得し、上記選択されたロック解除アイコンに、最後の操作に関連する上記パスワードアイコン及び所定数の固定アイコンが含まれているか否かを判断することができる。
【００７３】
制御手段１０７は、具体的には、ロック解除操作を実行する前に、上記ロック解除アイコンが選択された順番が、上記直近の操作の順番と一致するか否かを判断し、判断結果がイエスである（一致する）場合、ロック解除操作を実行することができる。
【００７４】
表示手段１０１はさらに、パスワードアイコンと固定アイコンとの組み合わせのロック解除方式を含む少なくとも１つのロック解除方式を表示することができる。入力操作手段１０３はさらに、上記少なくとも１つのロック解除方式の中からロック解除方式を選択する操作に対応して、選択された第１のロック解除方式を取得する。制御手段１０７はさらに、上記第１のロック解除方式が上記パスワードアイコンと固定アイコンとの組み合わせのロック解除方式である場合、直近の操作に関連する上記Ｍ個のパスワードアイコン、所定数量の固定アイコン及びその他のアイコンを生成し、直近の操作に関連する上記Ｍ個のパスワードアイコンと、所定数量の固定アイコンと、その他のアイコンとを無作為に配列することにより、上記Ａ個の選択対象アイコンを生成する。
【００７５】
制御手段１０７は、具体的には、上記選択されたロック解除アイコンが、直近の操作に関連する上記Ｍ個のパスワードアイコンと同一であるか否かを判断し、判断結果がイエス（同一）である場合、ロック解除操作を実行することができる。
【００７６】
表示手段１０１はさらに、パスワードアイコンのロック解除方式を含む少なくとも１つのロック解除方式を表示することができる。入力操作手段１０３はさらに、上記少なくとも１つのロック解除方式の中からロック解除方式を選択する操作に対応して、選択された第２のロック解除方式を取得する。制御手段１０７はさらに、上記第２のロック解除方式が上記パスワードアイコンのロック解除方式である場合、直近の操作に関連する上記Ｍ個のパスワードアイコン及びその他のアイコンを生成し、直近の操作に関連する上記Ｍ個のパスワードアイコンと、その他のアイコンとを無作為に配列することにより、Ａ個の選択対象アイコンを生成する。
【００７７】
入力操作手段１０３は、具体的には、上記Ａ個の選択対象アイコンのうちいずれかの選択対象アイコンに、カーソルが滞留する時間をリスニングし、上記滞留する時間が予め設定した時間の閾値より大きい場合、上記選択対象アイコンを上記選択されたロック解除アイコンとして確定することができる。
【００７８】
制御手段１０７は、具体的には、システムのタスクリストを取得し、タスクリストにおけるタスクの実行時間に基づいて、対応する操作の順番を決めることにより、Ｍ個の直近の操作を確定し、上記Ｍ個の直近の操作に基づき、直近の操作に関連するＭ個のパスワードアイコンを生成することができる。
【００７９】
なお、図４では、破線枠で囲まれる構造、または部品は、ヘッドマウントディスプレイデバイス１００から独立してもよい。例えば、外部処理システム（例えばコンピュータシステム）に設けてヘッドマウントディスプレイデバイス１００と共に用いるか、またはヘッドマウントディスプレイデバイス１００の内部もしくは表面に設けてもよい。
【００８０】
上記実施形態の特徴パラメータを確定する装置は、上記方法に関する各実施形態の技術的解決手段により実現でき、上記各モジュールまたは手段を具体的に実現する原理は、上記各実施形態の該当する記載を参照できるため、ここでは詳細は説明しない。
【００８１】
上記装置に関する実施形態は、あくまでも例示的なものである。それらのうち分離する部品として説明されている手段は、物理的に分離するものであってもそうでなくてもよい。１つの手段として表示される部品は、物理的手段であってもそうでなくてもよい。すなわち、１つの場所に位置するものでも、複数のネットワークに分散されるものであってもよい。状況に応じて、それらのうち一部または全てのモジュールを選択して本実施例の目的を達成することができる。当業者は、進歩性のある作業をすることなく理解し実施することができる。
【００８２】
当業者であれば、上記説明により、各実施形態をソフトウェアと、必要な汎用ハードウェアプラットフォームとを組み合わせる方式で実現できる。もちろん、ハードウェアによっても実現できることは理解できる。そのため、上記技術的解決手段、すなわち従来技術について改良する部分は、ソフトウェア製品の形で現れる可能性がある。当該コンピュータソフトウェア製品は、コンピュータ読み取り可能な記憶媒体（例えば、ＲＯＭ／ＲＡＭ、磁気ディスク、ＣＤ−ＲＯＭなど）に記憶されてもよい。さらに、コンピューターデバイス（例えばパソコン、サーバ、またはネットワークデバイスなど）には、各実施形態または実施形態の一部に記載される方法を実行させるための複数の指令が含まれる。
【００８３】
上記の実施例は、本願発明の技術的解決手段を説明するためのものに過ぎず、それらに限定されるものではない。上記のとおり実施例を参照しながら本願発明について詳しく説明しているが、当業者はなおも、該当する技術的解決手段について変更したり、一部の技術的特徴について、均等な置き換えを行ったりもでき、これらの変更または置き換えにより、該当する技術的解決手段の趣旨が本願発明の各実施例の趣旨と範囲から逸脱するものではないことは自明である。
【図１】
2019533843.tif 000003
【図２】
2019533843.tif 000004
【図３】
2019533843.tif 000005
【図４】
2019533843.tif 000006
【国際調査報告】
2019533843.tif 000007
2019533843.tif 000008
2019533843.tif 000009
2019533843.tif 000010